(57)【要約】【課題】複数のフラットケーブルを効率よく配置できる画像形成装置を提供する。【解決手段】  画像形成装置１は、ドロワフレーム４０と、複数の露光ヘッド１３Ｙ、１３Ｍ、１３Ｃと、複数のフラットケーブル４２Ｙ、４２Ｍ、４２Ｃとを備えるドロワユニット４を備える。フラットケーブル４２Ｙは、露光ヘッド１３Ｙに電気的に接続される。フラットケーブル４２Ｍは、露光ヘッド１３Ｍに電気的に接続される。フラットケーブル４２Ｃは、露光ヘッド１３Ｃに電気的に接続される。ドロワフレーム４０は、フラットケーブル４２Ｙを支持する面５０Ｙと、フラットケーブル４２Ｃを支持する面５０Ｃとの間に、フラットケーブル４２Ｍを支持する面５０Ｍを有する。【選択図】図８
2019101175.tif 000002
【特許請求の範囲】
【請求項１】
本体筐体と、
前記本体筐体の内にある内部位置と前記本体筐体の外にある外部位置との間を移動方向に移動可能なドロワユニットであって、
ドロワフレームと、
前記ドロワフレームに支持される第１露光ヘッドと、
前記移動方向において前記第１露光ヘッドと間隔を隔てて並ぶ第２露光ヘッドであって、前記ドロワフレームに支持される第２露光ヘッドと、
前記移動方向において前記第１露光ヘッドと前記第２露光ヘッドとの間にある第３露光ヘッドであって、前記ドロワフレームに支持される第３露光ヘッドと、
前記第１露光ヘッドに電気的に接続される第１フラットケーブルと、
前記第２露光ヘッドに電気的に接続される第２フラットケーブルと、
前記第３露光ヘッドに電気的に接続される第３フラットケーブルと、
を備えるドロワユニットと、
を備え、
前記ドロワフレームは、前記第１フラットケーブルを支持する第１面であって、前記移動方向に延びる第１面と、前記第２フラットケーブルを支持する第２面であって、前記移動方向に延びる第２面と、前記第３フラットケーブルを支持する第３面であって、前記移動方向に延びる第３面と、を有し、
前記第３面は、前記移動方向と交差する方向において前記第１面と前記第２面との間に位置することを特徴とする、画像形成装置。
【請求項２】
前記第１フラットケーブルおよび前記第２フラットケーブルを覆う金属製のカバーを備えることを特徴とする、請求項１に記載の画像形成装置。
【請求項３】
前記ドロワフレームは、第１サイドフレームと、前記移動方向と交差する方向において前記第１サイドフレームに対して間隔を空けて位置する第２サイドフレームと、を備え、
前記ドロワユニットは、前記第１サイドフレームに取り付けられる金属製のプレートを、さらに備え、
前記第１サイドフレームは、絶縁性の樹脂からなり、
前記カバーは、前記プレートに電気的に接続されることを特徴とする、請求項２に記載の画像形成装置。
【請求項４】
前記カバーと前記プレートとを電気的に接続する導線を、さらに備え、
前記プレートは、前記移動方向と交差する方向において前記第１サイドフレームと前記第２サイドフレームとの間に位置し、
第１サイドフレームは、前記導線が通る貫通穴を有することを特徴とする、請求項３に記載の画像形成装置。
【請求項５】
前記ドロワフレームは、前記第１フラットケーブルが通る第１スリットと、前記第２フラットケーブルが通る第２スリットとを有することを特徴とする、請求項１から請求項４のいずれか一項に記載の画像形成装置。
【請求項６】
駆動力を受けることができる第１ドラムカップリングを有する第１感光ドラムを備え、前記ドロワユニットに装着可能な第１ドラムカートリッジと、
駆動力を受けることができる第２ドラムカップリングを有する第２感光ドラムを備え、前記ドロワユニットに装着可能な第２ドラムカートリッジと、
を備え、
前記ドロワフレームは、前記第１ドラムカートリッジが前記ドロワユニットに装着された状態で前記第１ドラムカップリングを露出する第１ドラム穴と、前記第２ドラムカートリッジが前記ドロワユニットに装着された状態で前記第２ドラムカップリングを露出する第２ドラム穴とを有し、
前記第１スリットは、前記第１ドラム穴に対して上方または下方に位置し、
前記第２スリットは、前記第２ドラム穴に対して前記第１スリットと同じ方に位置することを特徴とする、請求項５に記載の画像形成装置。
【請求項７】
前記第１感光ドラムに供給される現像剤を収容可能な第１現像カートリッジであって、前記ドロワユニットに装着可能な第１現像カートリッジであり、駆動力を受けることができる第１現像カップリングを備える第１現像カートリッジと、
前記第２感光ドラムに供給される現像剤を収容可能な第２現像カートリッジであって、前記ドロワユニットに装着可能な第２現像カートリッジであり、駆動力を受けることができる第２現像カップリングを備える第２現像カートリッジと、
を備え、
前記第１スリットは、前記第１現像カートリッジおよび前記第２現像カートリッジが前記ドロワユニットに装着された状態で、前記移動方向において、前記第１現像カップリングと前記第２現像カップリングとの間に位置し、
前記第２スリットは、前記第１現像カートリッジおよび前記第２現像カートリッジが前記ドロワユニットに装着された状態で、前記移動方向において、前記第２現像カップリングに対して前記第１現像カップリングの反対側に位置することを特徴とする、請求項６に記載の画像形成装置。
【請求項８】
前記第１露光ヘッドは、前記第１ドラムカートリッジが前記ドロワユニットに装着された状態で、前記第１感光ドラムに対して上方に位置し、
前記第２露光ヘッドは、前記第２ドラムカートリッジが前記ドロワユニットに装着された状態で、前記第２感光ドラムに対して上方に位置し、
前記第１スリットは、前記第１現像カートリッジが前記ドロワユニットに装着された状態で、前記第１現像カップリングよりも上方に位置し、
前記第２スリットは、前記第２現像カートリッジが前記ドロワユニットに装着された状態で、前記第２現像カップリングよりも上方に位置することを特徴とする、請求項７に記載の画像形成装置。
【請求項９】
前記第１露光ヘッドは、前記第１ドラムカートリッジが前記ドロワユニットに装着された状態で、前記第１感光ドラムに対して下方に位置し、
前記第２露光ヘッドは、前記第２ドラムカートリッジが前記ドロワユニットに装着された状態で、前記第２感光ドラムに対して下方に位置し、
前記第１スリットは、前記第１現像カートリッジが前記ドロワユニットに装着された状態で、前記第１現像カップリングよりも下方に位置し、
前記第２スリットは、前記第２現像カートリッジが前記ドロワユニットに装着された状態で、前記第２現像カップリングよりも下方に位置することを特徴とする、請求項７に記載の画像形成装置。
【請求項１０】
前記ドロワフレームは、
第１サイドフレームと、
前記移動方向と交差する方向において前記第１サイドフレームに対して間隔を空けて位置する第２サイドフレームと、
前記第１フラットケーブルの一部を覆う第１カバーであって、前記移動方向と交差する方向において前記第１サイドフレームから前記第２サイドフレームに向かって延びる第１カバーと、
前記第２フラットケーブルの一部を覆う第２カバーであって、前記移動方向と交差する方向において前記第１サイドフレームから前記第２サイドフレームに向かって延びる第２カバーと、
を備えることを特徴とする、請求項１から請求項９のいずれか一項に記載の画像形成装置。
【請求項１１】
前記第１カバーおよび前記第２カバーのそれぞれの少なくとも一部は、前記第１サイドフレームから取り外し可能であることを特徴とする、請求項１０に記載の画像形成装置。
【請求項１２】
前記移動方向と交差する方向において前記第１フラットケーブルと前記第２フラットケーブルとの間に位置する金属製のシートを備えることを特徴とする、請求項１から請求項１１のいずれか一項に記載の画像形成装置。
【発明の詳細な説明】
【技術分野】
【０００１】
本発明は、画像形成装置に関する。
【背景技術】
【０００２】
従来、ドロワユニットを備える画像形成装置が知られている。ドロワユニットは、本体筐体の内にある内部位置と、本体筐体の外にある外部位置との間を移動可能である。ドロワユニットは、ドロワフレームと、複数の露光ヘッドと、複数のフラットケーブルとを備える（下記特許文献１参照）。
【先行技術文献】
【特許文献】
【０００３】
【特許文献１】特開２０１２−１４４０１９号公報
【発明の概要】
【発明が解決しようとする課題】
【０００４】
上記した特許文献１に開示されるような画像形成装置において、複数のフラットケーブルを効率よく配置することが望まれる。
【０００５】
そこで、本開示の目的は、複数のフラットケーブルを効率よく配置できる画像形成装置を提供することにある。
【課題を解決するための手段】
【０００６】
本発明の画像形成装置は、本体筐体と、ドロワユニットとを備える。
【０００７】
ドロワユニットは、本体筐体の内にある内部位置と、本体筐体の外にある外部位置との間を移動方向に移動可能である。ドロワユニットは、ドロワフレームと、第１露光ヘッドと、第２露光ヘッドと、第３露光ヘッドと、第１フラットケーブルと、第２フラットケーブルと、第３フラットケーブルとを備える。第１露光ヘッドは、ドロワフレームに支持される。第２露光ヘッドは、移動方向において第１露光ヘッドと間隔を隔てて並ぶ。第２露光ヘッドは、ドロワフレームに支持される。第３露光ヘッドは、移動方向において第１露光ヘッドと第２露光ヘッドとの間にある。第３露光ヘッドは、ドロワフレームに支持される。第１フラットケーブルは、第１露光ヘッドに電気的に接続される。第２フラットケーブルは、第２露光ヘッドに電気的に接続される。第３フラットケーブルは、第３露光ヘッドに電気的に接続される。
【０００８】
ドロワフレームは、第１面と、第２面と、第３面とを有する。第１面は、第１フラットケーブルを支持する。第１面は、移動方向に延びる。第２面は、第２フラットケーブルを支持する。第２面は、移動方向に延びる。第３面は、第３フラットケーブルを支持する。第３面は、移動方向に延びる。
【０００９】
第３面は、移動方向と交差する方向において第１面と第２面との間に位置する。
【００１０】
このような構成によれば、ドロワフレームは、移動方向と交差する方向において、第１面と第２面との間に位置する第３面を有する。つまり、移動方向と交差する方向において、第１面と第３面との間には、段差があり、第２面と第３面との間には、段差がある。
【００１１】
これにより、第１面と第３面との間の段差を利用して第３フラットケーブルを配置し、第２面と第３面との間の段差を利用して第２フラットケーブルを配置することができる。
【００１２】
その結果、移動方向と交差する方向において、複数のフラットケーブル、すなわち、第１フラットケーブル、第２フラットケーブルおよび第３フラットケーブルを、効率よく配置できる。
【発明の効果】
【００１３】
本発明の画像形成装置によれば、複数のフラットケーブルを効率よく配置できる。
【図面の簡単な説明】
【００１４】
【図１】図１は、画像形成装置の概略構成図である。
【図２】図２は、図１に示すドロワユニットが外部位置に位置した状態を示す。
【図３】図３は、ドロワユニットの斜視図である。
【図４】図４は、図３に示すサイドフレームの側面図である。
【図５】図５Ａは、ドラムカートリッジの斜視図である。図５Ｂは、現像カートリッジの斜視図である。
【図６】図６は、図４のＡ−Ａ断面図である。
【図７】図７は、図３に示すカバーの分解斜視図である。
【図８】図８は、図３に示すドロワユニットの断面図であって、図４のＡ−Ａ線に相当する断面図である。
【図９】図９は、図３に示すドロワユニットの斜視図であって、カバーを外した状態を示す。
【図１０】図１０は、変形例を説明するための説明図である。
【図１１】図１１は、図１０のＢ−Ｂ断面図である。
【図１２】図１２は、図１０とは別の変形例を説明するための説明図である。
【発明を実施するための形態】
【００１５】
１．画像形成装置
図１および図２を参照して、画像形成装置について説明する。
【００１６】
図１に示すように、画像形成装置１は、本体筐体２と、給紙部３と、ドロワユニット４と、複数のドラムカートリッジ５Ｙ、５Ｍ、５Ｃ、５Ｋと、複数の現像カートリッジ６Ｙ、６Ｍ、６Ｃ、６Ｋと、転写ユニット７と、定着器８とを備える。
【００１７】
１．１  本体筐体
本体筐体２は、画像形成装置１の外装を構成する。本体筐体２は、給紙部３と、ドロワユニット４と、複数のドラムカートリッジ５Ｙ、５Ｍ、５Ｃ、５Ｋと、複数の現像カートリッジ６Ｙ、６Ｍ、６Ｃ、６Ｋと、転写ユニット７と、定着器８を収容する。本体筐体２は、開口２Ａを有する。開口２Ａは、ドロワユニット４が内部位置に位置する状態で、ドロワユニット４に対して、定着器８の反対側に位置する。内部位置については、後で説明する。また、本体筐体２は、カバー２Ｂを備える。カバー２Ｂは、開口２Ａを閉鎖する閉位置（図１参照）と、開口２Ａを開放する開位置（図２参照）との間を移動可能である。
【００１８】
１．２  給紙部
給紙部３は、感光ドラム１４Ｙに向かってシートＳを供給するように構成される。シートＳは、例えば、印刷用紙である。感光ドラム１４Ｙについては、後で説明する。給紙部３は、給紙トレイ９と、ピックアップローラ１０と、給紙ローラ１１とを備える。給紙トレイ９は、シートＳを収容するように構成される。ピックアップローラ１０は、給紙トレイ９内のシートＳを給紙ローラ１１に向かって搬送するように構成される。給紙ローラ１１は、ピックアップローラ１０からのシートＳを感光ドラム１４Ｙに向かって搬送するように構成される。
【００１９】
１．３  ドロワユニット
図２に示すように、ドロワユニット４は、カバー２Ｂが開位置に位置する状態で、開口２Ａを介して、内部位置（図１参照）と外部位置（図２参照）との間を移動可能である。内部位置は、ドロワユニット４が本体筐体２の内にあるときの、ドロワユニット４の位置である。外部位置は、ドロワユニット４が本体筐体２の外にあるときの、ドロワユニット４の位置である。ドロワユニット４が内部位置と外部位置との間を移動する方向を、移動方向と定義する。図１に示すように、ドロワユニット４は、複数の露光ヘッド１３Ｙ、１３Ｍ、１３Ｃ、１３Ｋを備える。
【００２０】
複数の露光ヘッド１３Ｙ、１３Ｍ、１３Ｃ、１３Ｋは、移動方向において、互いに間隔を空けて並ぶ。露光ヘッド１３Ｃは、移動方向において露光ヘッド１３Ｙと間隔を隔てて並ぶ。露光ヘッド１３Ｍは、移動方向において露光ヘッド１３Ｙと露光ヘッド１３Ｃとの間にある。露光ヘッド１３Ｙは、ドラムカートリッジ５Ｙがドロワユニット４に装着された状態で、感光ドラム１４Ｙに対して上方に位置する。露光ヘッド１３Ｙは、感光ドラム１４Ｙを露光するように構成される。露光ヘッド１３Ｍは、ドラムカートリッジ５Ｍがドロワユニット４に装着された状態で、感光ドラム１４Ｍに対して上方に位置する。露光ヘッド１３Ｍは、感光ドラム１４Ｍを露光するように構成される。露光ヘッド１３Ｃは、ドラムカートリッジ５Ｃがドロワユニット４に装着された状態で、感光ドラム１４Ｃに対して上方に位置する。露光ヘッド１３Ｃは、感光ドラム１４Ｃを露光するように構成される。露光ヘッド１３Ｋは、ドラムカートリッジ５Ｋがドロワユニット４に装着された状態で、感光ドラム１４Ｋに対して上方に位置する。露光ヘッド１３Ｋは、感光ドラム１４Ｋを露光するように構成される。
【００２１】
１．４  複数のドラムカートリッジ
複数のドラムカートリッジ５Ｙ、５Ｍ、５Ｃ、５Ｋのそれぞれは、ドロワユニット４が外部位置（図２参照）に位置しているときに、ドロワユニット４に装着可能である。複数のドラムカートリッジ５Ｙ、５Ｍ、５Ｃ、５Ｋは、ドロワユニット４に装着された状態で、移動方向において、互いに間隔を隔てて並ぶ。
【００２２】
ドラムカートリッジ５Ｙは、感光ドラム１４Ｙと、帯電器１５Ｙとを備える。
【００２３】
感光ドラム１４Ｙは、ドラムカートリッジ５Ｙがドロワユニット４に装着された状態で、ドロワユニット４の幅方向（図３参照）に延びる回転軸線について回転可能である。ドロワユニット４の幅方向については、後述する。感光ドラム１４Ｙは、回転軸線に沿って延びる。感光ドラム１４Ｙは、円筒形状を有する。
【００２４】
帯電器１５Ｙは、感光ドラム１４Ｙの周面を帯電するように構成される。帯電器１５Ｙが感光ドラム１４Ｙの周面を帯電した後、露光ヘッド１３Ｙが、帯電された感光ドラム１４Ｙの周面を露光することにより、感光ドラム１４Ｙの周面に静電潜像が形成される。帯電器１５Ｙは、ドラムカートリッジ５Ｙがドロワユニット４に装着された状態で、移動方向において、露光ヘッド１３Ｙに対して現像ローラ１６Ｙの反対側に位置する。現像ローラ１６Ｙについては、後で説明する。帯電器１５Ｙは、ドラムカートリッジ５Ｙがドロワユニット４に装着された状態で、感光ドラム１４Ｙの回転方向において、露光ヘッド１３Ｙに対して上流側に位置する。帯電器１５Ｙは、具体的には、帯電ローラである。なお、帯電器１５Ｙは、スコロトロン型の帯電器であってもよい。
【００２５】
なお、ドラムカートリッジ５Ｍは、感光ドラム１４Ｍと、帯電器１５Ｍとを備える。ドラムカートリッジ５Ｃは、感光ドラム１４Ｃと、帯電器１５Ｃとを備える。ドラムカートリッジ５Ｋは、感光ドラム１４Ｋと、帯電器１５Ｋとを備える。ドラムカートリッジ５Ｍ、５Ｃ、５Ｋのそれぞれは、ドラムカートリッジ５Ｙと同じ構造を有し、ドラムカートリッジ５Ｙと同様に説明される。そのため、ドラムカートリッジ５Ｍ、５Ｃ、５Ｋのそれぞれについての説明は、省略される。
【００２６】
１．５  複数の現像カートリッジ
複数の現像カートリッジ６Ｙ、６Ｍ、６Ｃ、６Ｋのそれぞれは、ドロワユニット４が外部位置（図２参照）に位置しているときに、ドロワユニット４に装着可能である。複数の現像カートリッジ６Ｙ、６Ｍ、６Ｃ、６Ｋは、ドロワユニット４に装着された状態で、移動方向において、互いに間隔を隔てて並ぶ。
【００２７】
現像カートリッジ６Ｙは、感光ドラム１４Ｙに供給されるトナーを収容可能である。現像カートリッジ６Ｙは、現像ローラ１６Ｙを備える。
【００２８】
現像ローラ１６Ｙは、現像カートリッジ６Ｙ内のトナーを感光ドラム１４Ｙに供給するように構成される。静電潜像が形成された感光ドラム１４Ｙに現像カートリッジ６Ｙ内のトナーが供給されることにより、静電潜像が現像され、感光ドラム１４Ｙの周面にトナー像が形成される。言い換えると、トナー像は、トナーが現像ローラ１６Ｙから感光ドラム１４Ｙに静電気的に移動することにより、感光ドラム１４Ｙに形成された静電潜像が現像され、感光ドラム１４Ｙの周面に形成される。現像ローラ１６Ｙの一部は、現像カートリッジ６Ｙの内部に収容される。現像ローラ１６Ｙは、ドラムカートリッジ５Ｙおよび現像カートリッジ６Ｙがドロワユニット４に装着された状態で、感光ドラム１４Ｙの回転方向において、露光ヘッド１３Ｙに対して下流側に位置する。現像ローラ１６Ｙは、ドラムカートリッジ５Ｙおよび現像カートリッジ６Ｙがドロワユニット４に装着された状態で、感光ドラム１４Ｙの周面に接触する。
【００２９】
なお、現像カートリッジ６Ｍは、感光ドラム１４Ｍに供給されるトナーを収容可能であり、現像ローラ１６Ｍを備える。現像カートリッジ６Ｃは、感光ドラム１４Ｃに供給されるトナーを収容可能であり、現像ローラ１６Ｃを備える。現像カートリッジ６Ｋは、感光ドラム１４Ｋに供給されるトナーを収容可能であり、現像ローラ１６Ｋを備える。現像カートリッジ６Ｍ、６Ｃ、６Ｋのそれぞれは、現像カートリッジ６Ｙと同じ構造を有し、現像カートリッジ６Ｙと同様に説明される。そのため、現像カートリッジ６Ｍ、６Ｃ、６Ｋのそれぞれについての説明は、省略される。
【００３０】
１．６  転写ユニット
転写ユニット７は、複数のドラムカートリッジ５Ｋ、５Ｙ、５Ｍ、５Ｃが装着されたドロワユニット４が内部位置に位置するときに、複数の感光ドラム１４Ｋ、１４Ｙ、１４Ｍ、１４Ｃの下方に位置する。転写ユニット７は、複数のドラムカートリッジ５Ｋ、５Ｙ、５Ｍ、５Ｃが装着されたドロワユニット４が内部位置に位置するときに、複数の感光ドラム１４Ｋ、１４Ｙ、１４Ｍ、１４Ｃと接触する。転写ユニット７は、給紙部３から供給されたシートＳを定着器８に向かって搬送する。転写ユニット７は、シートＳが複数の感光ドラム１４Ｋ、１４Ｙ、１４Ｍ、１４Ｃのそれぞれと接触するときに、複数の感光ドラム１４Ｋ、１４Ｙ、１４Ｍ、１４Ｃのそれぞれのトナー像をシートＳに転写する。
【００３１】
１．７  定着器
定着器８は、トナー像が転写されたシートＳを加熱および加圧して、シートＳにトナー像を定着させるように構成される。定着器８を通過したシートＳは、本体筐体２の上面に排紙される。
【００３２】
２．ドロワユニットの詳細
以下、図３から図７を参照して、ドロワユニット４について説明する。
【００３３】
図３に示すように、ドロワユニット４は、上記した複数の露光ヘッド１３Ｙ、１３Ｍ、１３Ｃ、１３Ｋに加えて、ドロワフレーム４０と、複数のフラットケーブル４２Ｙ、４２Ｍ、４２Ｃ、４２Ｋ（図８参照）と、中継基板７０（図７参照）と、カバー４３と、カバー４４、複数のカバー４５Ｙ、４５Ｍ、４５Ｃ、４５Ｋとを備える。
【００３４】
２．１  ドロワフレーム
ドロワフレーム４０には、複数のドラムカートリッジ５Ｙ、５Ｍ、５Ｃ、５Ｋと、複数の現像カートリッジ６Ｙ、６Ｍ、６Ｃ、６Ｋとが装着可能である。
【００３５】
ドロワフレーム４０は、サイドフレーム４１Ａ、４１Ｂを備える。サイドフレーム４１Ｂは、幅方向において、サイドフレーム４１Ａに対して間隔を空けて位置する。複数の露光ヘッド１３Ｙ、１３Ｍ、１３Ｃ、１３Ｋは、幅方向において、サイドフレーム４１Ａとサイドフレーム４１Ｂとの間に位置する。幅方向は、移動方向および上下方向と交差する。複数の露光ヘッド１３Ｙ、１３Ｍ、１３Ｃ、１３Ｋは、サイドフレーム４１Ａとサイドフレーム４１Ｂとによって支持される。すなわち、複数の露光ヘッド１３Ｙ、１３Ｍ、１３Ｃ、１３Ｋは、ドロワフレーム４０に支持される。複数のドラムカートリッジ５Ｙ、５Ｍ、５Ｃ、５Ｋ、および、複数の現像カートリッジ６Ｙ、６Ｍ、６Ｃ、６Ｋは、ドロワユニット４に装着された状態で、サイドフレーム４１Ａとサイドフレーム４１Ｂとの間に位置する。サイドフレーム４１Ａおよびサイドフレーム４１Ｂのそれぞれは、移動方向に延びる。サイドフレーム４１Ａおよびサイドフレーム４１Ｂのそれぞれは、平板形状を有する。サイドフレーム４１Ａおよびサイドフレーム４１Ｂのそれぞれは、絶縁性の樹脂からなる。
【００３６】
サイドフレーム４１Ａは、図４に示すように、複数のドラム穴４８Ｙ、４８Ｍ、４８Ｃ、４８Ｋと、複数の現像穴４９Ｙ、４９Ｍ、４９Ｃ、４９Ｋと、ケーブル支持部４７とを有する。すなわち、ドロワフレーム４０は、第１ドラム穴４８Ｙと第２ドラム穴４８Ｃとを有する。
【００３７】
２．１．１  複数のドラム穴
複数のドラム穴４８Ｙ、４８Ｍ、４８Ｃ、４８Ｋは、ケーブル支持部４７の下方に位置する。複数のドラム穴４８Ｙ、４８Ｍ、４８Ｃ、４８Ｋは、移動方向に並ぶ。複数のドラム穴４８Ｙ、４８Ｍ、４８Ｃ、４８Ｋのそれぞれは、円形の貫通穴である。
【００３８】
ドラム穴４８Ｙは、ドラムカートリッジ５Ｙがドロワユニット４に装着された状態でドラムカートリッジ５Ｙのドラムカップリング６１Ｙを露出する。ドラムカップリング６１Ｙは、図５Ａに示すように、感光ドラム１４Ｙの端部に設けられる。すなわち、感光ドラム１４Ｙは、ドラムカップリング６１Ｙを有する。ドラムカップリング６１Ｙは、感光ドラム１４Ｙとともに回転可能である。ドラムカップリング６１Ｙには、ドラムカートリッジ５Ｙが装着されたドロワユニット４が内部位置に位置するときに、本体筐体２内に設けられるドラムカップリングが、ドラム穴４８Ｙ（図４参照）を通って嵌まる。本体側のドラムカップリングは、図示されていない。ドラムカップリング６１Ｙに本体側のドラムカップリングが嵌まることにより、ドラムカップリング６１Ｙと、本体側のドラムカップリングとは、ともに回転可能となる。これにより、ドラムカップリング６１Ｙは、本体側のドラムカップリングから、駆動力を受けることができる。
【００３９】
なお、ドラムカートリッジ５Ｍの感光ドラム１４Ｍは、駆動力を受けることができるドラムカップリング６１Ｍを有し、ドラムカートリッジ５Ｃの感光ドラム１４Ｃは、駆動力を受けることができるドラムカップリング６１Ｃを有し、ドラムカートリッジ５Ｋの感光ドラム１４Ｋは、駆動力を受けることができるドラムカップリング６１Ｋを有する。図４に示すように、ドラム穴４８Ｍは、ドラムカートリッジ５Ｍがドロワユニット４に装着された状態でドラムカップリング６１Ｍを露出し、ドラム穴４８Ｃは、ドラムカートリッジ５Ｃがドロワユニット４に装着された状態でドラムカップリング６１Ｃを露出し、ドラム穴４８Ｋは、ドラムカートリッジ５Ｋがドロワユニット４に装着された状態でドラムカップリング６１Ｋを露出する。ドラムカップリング６１Ｍ、６１Ｃ、６１Ｋのそれぞれは、ドラムカップリング６１Ｙと同様に説明され、ドラム穴４８Ｍ、４８Ｃ、４８Ｋのそれぞれは、ドラム穴４８Ｙと同様に説明される。そのため、ドラムカップリング６１Ｍ、６１Ｃ、６１Ｋのそれぞれ、および、ドラム穴４８Ｍ、４８Ｃ、４８Ｋのそれぞれについての説明は、省略される。
【００４０】
２．１．２  複数の現像穴
図４に示すように、複数の現像穴４９Ｙ、４９Ｍ、４９Ｃ、４９Ｋは、上下方向において、ケーブル支持部４７と、複数のドラム穴４８Ｙ、４８Ｍ、４８Ｃ、４８Ｋとの間に位置する。複数の現像穴４９Ｙ、４９Ｍ、４９Ｃ、４９Ｋは、移動方向に並ぶ。複数の現像穴４９Ｙ、４９Ｍ、４９Ｃ、４９Ｋのそれぞれは、略円形の貫通穴である。
【００４１】
現像穴４９Ｙは、現像カートリッジ６Ｙがドロワユニット４に装着された状態で現像カートリッジ６Ｙの現像カップリング６２Ｙを露出する。
【００４２】
現像カップリング６２Ｙは、図５Ｂに示すように、現像カートリッジ６Ｙの側面に設けられる。すなわち、現像カートリッジ６Ｙは、現像カップリング６２Ｙを有する。現像カップリング６２Ｙには、現像カートリッジ６Ｙが装着されたドロワユニット４が内部位置に位置するときに、本体筐体２内に設けられる現像カップリングが、現像穴４９Ｙ（図４参照）を通って嵌まる。本体側の現像カップリングは、図示されていない。現像カップリング６２Ｙに本体側の現像カップリングが嵌まることにより、現像カップリング６２Ｙと、本体側の現像カップリングとは、ともに回転可能となる。これにより、現像カップリング６２Ｙは、本体側の現像カップリングから、駆動力を受けることができる。
【００４３】
なお、現像カートリッジ６Ｍは、駆動力を受けることができる現像カップリング６２Ｍを有し、現像カートリッジ６Ｃは、駆動力を受けることができる現像カップリング６２Ｃを有し、現像カートリッジ６Ｋは、駆動力を受けることができる現像カップリング６２Ｋを有する。図４に示すように、現像穴４９Ｍは、現像カートリッジ６Ｍがドロワユニット４に装着された状態で現像カップリング６２Ｍを露出し、現像穴４９Ｃは、現像カートリッジ６Ｃがドロワユニット４に装着された状態で現像カップリング６２Ｃを露出し、現像穴４９Ｋは、現像カートリッジ６Ｋがドロワユニット４に装着された状態で現像カップリング６２Ｋを露出する。現像カップリング６２Ｍ、６２Ｃ、６２Ｋのそれぞれは、現像カップリング６２Ｙと同様に説明され、現像穴４９Ｍ、４９Ｃ、４９Ｋのそれぞれは、現像穴４９Ｙと同様に説明される。そのため、現像カップリング６２Ｍ、６２Ｃ、６２Ｋのそれぞれ、および、現像穴４９Ｍ、４９Ｃ、４９Ｋのそれぞれについての説明は、省略される。
【００４４】
２．１．３  ケーブル支持部
図４に示すケーブル支持部４７は、複数のフラットケーブル４２Ｙ、４２Ｍ、４２Ｃ、４２Ｋ（図８参照）を支持する。ケーブル支持部４７は、サイドフレーム４１Ａの上端部に位置する。ケーブル支持部４７は、移動方向に延びる。ケーブル支持部４７は、図４および図６に示すように、複数の面５０Ｙ、５０Ｍ、５０Ｃ、５０Ｋと、複数のスリット５１Ｙ、５１Ｍ、５１Ｃ、５１Ｋとを有する。すなわち、ドロワフレーム４０は、第１面５０Ｙと、第２面５０Ｃと、第３面５０Ｍと、第１スリット５１Ｙと、第２スリット５１Ｃとを有する。
【００４５】
複数の面５０Ｙ、５０Ｍ、５０Ｃ、５０Ｋは、移動方向に並ぶ。複数の面５０Ｙ、５０Ｍ、５０Ｃ、５０Ｍのそれぞれは、移動方向に延びる。複数の面５０Ｙ、５０Ｍ、５０Ｃ、５０Ｋは、平面である。
【００４６】
面５０Ｙは、フラットケーブル４２Ｙ（図８参照）を支持する。
【００４７】
面５０Ｍは、フラットケーブル４２Ｍ（図８参照）を支持する。面５０Ｍは、移動方向において、面５０Ｙと面５０Ｃとの間に位置する。面５０Ｍは、幅方向において、面５０Ｙと面５０Ｃとの間に位置する。面５０Ｍは、幅方向において、面５０Ｙとサイドフレーム４１Ｂ（図３参照）との間に位置する。幅方向において、面５０Ｙと面５０Ｍとの間には、段差Ｄ１がある。
【００４８】
面５０Ｃは、フラットケーブル４２Ｃ（図８参照）を支持する。面５０Ｃは、移動方向において、面５０Ｍと面５０Ｋとの間に位置する。面５０Ｃは、幅方向において、面５０Ｍと面５０Ｋとの間に位置する。面５０Ｃは、幅方向において、面５０Ｍとサイドフレーム４１Ｂ（図３参照）との間に位置する。幅方向において、面５０Ｍと面５０Ｃとの間には、段差Ｄ２がある。
【００４９】
面５０Ｋは、フラットケーブル４２Ｋ（図８参照）を支持する。面５０Ｋは、幅方向において、面５０Ｃとサイドフレーム４１Ｂ（図３参照）との間に位置する。幅方向において、面５０Ｃと面５０Ｋとの間には、段差Ｄ３がある。
【００５０】
複数のスリット５１Ｙ、５１Ｍ、５１Ｃ、５１Ｋは、移動方向に並ぶ。複数のスリット５１Ｙ、５１Ｍ、５１Ｃ、５１Ｋのそれぞれは、上下方向に延びる。複数のスリット５１Ｙ、５１Ｍ、５１Ｃ、５１Ｋのそれぞれは、上下方向に長い長方形の貫通穴である。
【００５１】
スリット５１Ｙには、フラットケーブル４２Ｙ（図８参照）が通る。フラットケーブル４２Ｙがスリット５１Ｙを通ることにより、フラットケーブル４２Ｙがサイドフレーム４１Ａの上を乗り越える場合と比べて、上下方向におけるドロワユニット４の小型化を図ることができる。スリット５１Ｙは、ドラム穴４８Ｙに対して上方に位置する。これにより、スリット５１Ｙを通るフラットケーブル４２Ｙは、本体側のドラムカップリングが、ドラム穴４８Ｙを通ってドラムカップリング６１Ｙに嵌まることを妨げない。また、スリット５１Ｙは、現像穴４９Ｙよりも上方に位置する。すなわち、スリット５１Ｙは、現像カートリッジ６Ｙがドロワユニット４に装着された状態で、現像カップリング６２Ｙよりも上方に位置する。これにより、スリット５１Ｙを通るフラットケーブル４２Ｙは、本体側の現像カップリングが、現像穴４９Ｙを通って現像カップリング６２Ｙに嵌まることを妨げない。また、スリット５１Ｙは、移動方向において、現像穴４９Ｙと現像穴４９Ｍとの間に位置する。すなわち、スリット５１Ｙは、現像カートリッジ６Ｙおよび現像カートリッジ６Ｃがドロワユニット４に装着された状態で、移動方向において、現像カップリング６２Ｙと現像カップリング６２Ｃとの間に位置する。
【００５２】
スリット５１Ｍには、フラットケーブル４２Ｍ（図８参照）が通る。スリット５１Ｍは、現像穴４９Ｍよりも上方に位置する。また、スリット５１Ｍは、移動方向において、現像穴４９Ｍと現像穴４９Ｃとの間に位置する。また、スリット５１Ｍは、移動方向において、面５０Ｙと面５０Ｍとの間に位置する。
【００５３】
スリット５１Ｃには、フラットケーブル４２Ｃ（図８参照）が通る。スリット５１Ｃは、ドラム穴４８Ｃに対してスリット５１Ｙと同じ方（上方）に位置する。また、スリット５１Ｃは、現像穴４９Ｃよりも上方に位置する。すなわち、スリット５１Ｃは、現像カートリッジ６Ｃがドロワユニット４に装着された状態で、現像カップリング６２Ｃよりも上方に位置する。また、スリット５１Ｃは、移動方向において、現像穴４９Ｃと現像穴４９Ｋとの間に位置する。すなわち、スリット５１Ｃは、現像カートリッジ６Ｙおよび現像カートリッジ６Ｃがドロワユニット４に装着された状態で、移動方向において、現像カップリング６２Ｃに対して現像カップリング６２Ｙの反対側に位置する。また、スリット５１Ｃは、移動方向において、面５０Ｍと面５０Ｃとの間に位置する。
【００５４】
スリット５１Ｋには、フラットケーブル４２Ｋ（図８参照）が通る。スリット５１Ｋは、現像穴４９Ｋよりも上方に位置する。また、スリット５１Ｋは、移動方向において、現像穴４９Ｋに対して現像穴４９Ｃの反対側に位置する。また、スリット５１Ｋは、移動方向において、面５０Ｃと面５０Ｋとの間に位置する。
【００５５】
２．２  フラットケーブルおよび中継基板
図７に示すように、フラットケーブル４２Ｙの一端は、露光ヘッド１３Ｙに電気的に接続される。フラットケーブル４２Ｙは、露光ヘッド１３Ｙに電気信号を伝える。フラットケーブル４２Ｙは、図８に示すように、スリット５１Ｙを通り、面５０Ｙに沿って移動方向に延びる。フラットケーブル４２Ｙは、面５０Ｙに接触する。フラットケーブル４２Ｙは、フラットケーブル４２Ｍに重なる。フラットケーブル４２Ｙは、フラットケーブル４２Ｍに対して、面５０Ｍの反対側を通る。フラットケーブル４２Ｙの他端は、図９に示すように、中継基板７０に電気的に接続される。
【００５６】
フラットケーブル４２Ｍの一端は、図８に示すように、露光ヘッド１３Ｍに電気的に接続される。フラットケーブル４２Ｍは、露光ヘッド１３Ｍに電気信号を伝える。フラットケーブル４２Ｍは、スリット５１Ｍを通り、面５０Ｍに沿って移動方向に延びる。フラットケーブル４２Ｍは、面５０Ｍに接触する。フラットケーブル４２Ｍは、段差Ｄ１（図６参照）内に位置する。フラットケーブル４２Ｍは、フラットケーブル４２Ｃに重なる。フラットケーブル４２Ｍは、面５０Ｍとフラットケーブル４２Ｙとの間を通る。フラットケーブル４２Ｍは、フラットケーブル４２Ｃとフラットケーブル４２Ｙとの間を通る。フラットケーブル４２Ｙの他端は、中継基板７０（図９参照）に電気的に接続される。
【００５７】
フラットケーブル４２Ｃの一端は、露光ヘッド１３Ｃに電気的に接続される。フラットケーブル４２Ｃは、露光ヘッド１３Ｃに電気信号を伝える。フラットケーブル４２Ｃは、スリット５１Ｃを通り、面５０Ｃに沿って移動方向に延びる。フラットケーブル４２Ｃは、面５０Ｃに接触する。フラットケーブル４２Ｃは、段差Ｄ２（図６参照）内に位置する。フラットケーブル４２Ｃは、フラットケーブル４２Ｋに重なる。フラットケーブル４２Ｃは、面５０Ｃとフラットケーブル４２Ｍとの間を通る。フラットケーブル４２Ｃは、フラットケーブル４２Ｋとフラットケーブル４２Ｍとの間を通る。フラットケーブル４２Ｃの他端は、中継基板７０（図９参照）に電気的に接続される。
【００５８】
フラットケーブル４２Ｋの一端は、露光ヘッド１３Ｋに電気的に接続される。フラットケーブル４２Ｋは、露光ヘッド１３Ｋに電気信号を伝える。フラットケーブル４２Ｋは、スリット５１Ｋを通り、面５０Ｋに沿って移動方向に延びる。フラットケーブル４２Ｋは、面５０Ｋに接触する。フラットケーブル４２Ｋは、段差Ｄ３（図６参照）内に位置する。フラットケーブル４２Ｋは、面５０Ｋとフラットケーブル４２Ｃとの間を通る。フラットケーブル４２Ｋの他端は、中継基板７０（図９参照）に電気的に接続される。
【００５９】
図９に示す中継基板７０は、本体筐体２内に設けられる本体ケーブルに電気的に接続される。なお、本体ケーブルは、図示されていない。中継基板７０は、フラットケーブル４２Ｙ、４２Ｍ、４２Ｃ、４２Ｋと、本体筐体２内に設けられる本体ケーブルとの電気的接続を中継する。中継基板７０は、ドロワフレーム４０に取り付けられる。詳しくは、ドロワフレーム４０は、移動方向において、一端と他端とを有する。一端は、移動方向において、他端と定着器８（図１参照）との間に位置する。中継基板７０は、ドロワフレーム４０の一端に取り付けられる。
【００６０】
２．３  カバー
図３および図９に示すように、カバー４３は、フラットケーブル４２Ｙ、４２Ｍ、４２Ｃ、４２Ｋを覆う。これにより、複数のドラムカートリッジ５Ｙ、５Ｍ、５Ｃ、５Ｋ、および、複数の現像カートリッジ６Ｙ、６Ｍ、６Ｃ、６Ｋなどからフラットケーブル４２Ｙ、４２Ｍ、４２Ｃ、４２Ｋを保護できる。カバー４３は、幅方向において、フラットケーブル４２Ｙ、４２Ｍ、４２Ｃ、４２Ｋに対してサイドフレーム４１Ａの反対側に位置する。カバー４３は、サイドフレーム４１Ａに取り付けられる。カバー４３は、金属製である。これにより、フラットケーブル４２Ｙ、４２Ｍ、４２Ｃ、４２Ｋの周りに静電気が蓄積されること、および、フラットケーブル４２Ｙ、４２Ｍ、４２Ｃ、４２Ｋのそれぞれによって伝えられる電気信号にノイズが混じることを抑制できる。
【００６１】
カバー４４は、中継基板７０と、複数のフラットケーブル４２Ｙ、４２Ｍ、４２Ｃ、４２Ｋのそれぞれの他端とを覆う。カバー４４は、金属製である。カバー４４は、ドロワフレーム４０の一端に取り付けられる。
【００６２】
複数のカバー４５Ｙ、４５Ｍ、４５Ｃ、４５Ｋは、サイドフレーム４１Ａに設けられる。すなわち、ドロワフレーム４０は、第１カバー４５Ｙと、第２カバー４５Ｃとを備える。
【００６３】
カバー４５Ｙは、フラットケーブル４２Ｙの一端を覆う。すなわち、カバー４５Ｙは、フラットケーブル４２Ｙの一部を覆う。これにより、ドロワユニット４にドラムカートリッジ５Ｙや現像カートリッジ６Ｙが装着されるときに、ドラムカートリッジ５Ｙや現像カートリッジ６Ｙがフラットケーブル４２Ｙに接触することを防止でき、フラットケーブル４２Ｙを保護することができる。カバー４５Ｙは、幅方向において、サイドフレーム４１Ａとサイドフレーム４１Ｂとの間に位置する。カバー４５Ｙは、幅方向において、サイドフレーム４１Ａからサイドフレーム４１Ｂに向かって延びる。詳しくは、図７に示すように、カバー４５Ｙは、第１部分７１Ａと、第２部分７１Ｂと、第３部分７１Ｃとを有する。カバー４５Ｙは、第１部分７１Ａと、第２部分７１Ｂと、第３部分７１Ｃとからなる。
【００６４】
第１部分７１Ａは、サイドフレーム４１Ａから延びる。第１部分７１Ａは、スリット５１Ｙの周縁部から延びる。第１部分７１Ａは、サイドフレーム４１Ａから取り外すことができない。第１部分７１Ａは、幅方向に延びる。
【００６５】
第２部分７１Ｂは、幅方向において、第１部分７１Ａとサイドフレーム４１Ｂ（図３参照）との間に位置する。第２部分７１Ｂは、平板形状を有する。第２部分７１Ｂは、幅方向および上下方向に延びる。第２部分７１Ｂは、幅方向において、第１部分７１Ａに近い一端と、第１部分７１Ａから離れた他端とを有する。第２部分７１Ｂは、複数の溝７２Ａ、７２Ｂ、７２Ｃと、溝７２Ｄとを有する。溝７２Ａは、第２部分７１Ｂの上端部に位置する。溝７２Ｂは、第２部分７１Ｂの下端部に位置する。溝７２Ｃは、幅方向において、第２部分７１Ｂの他端に位置する。溝７２Ｄは、フラットケーブル４２Ｙの一端を収容する。溝７２Ｄは、移動方向において、第３部分７１Ｃから離れる方向に凹む。第２部分７１Ｂは、サイドフレーム４１Ａから取り外し可能である。すなわち、カバー４５Ｙの少なくとも一部は、サイドフレーム４１Ａから取り外し可能である。
【００６６】
第３部分７１Ｃは、幅方向において、第１部分７１Ａとサイドフレーム４１Ｂ（図３参照）との間に位置する。第３部分７１Ｃは、移動方向において、フラットケーブル４２Ｙの一端に対して第２部分７１Ｂの反対側に位置する。第３部分７１Ｃは、平板形状を有する。第３部分７１Ｃは、幅方向および上下方向に延びる。第３部分７１Ｃは、幅方向において、第１部分７１Ａに近い一端と、第１部分７１Ａから離れた他端とを有する。第３部分７１Ｃは、複数の爪７３Ａ、７３Ｂ、７３Ｃを有する。爪７３Ａは、第３部分７１Ｃの上端部に位置する。爪７３Ｂは、第３部分７１Ｃの下端部に位置する。爪７３Ｃは、幅方向において、第３部分７１Ｃの他端に位置する。爪７３Ａが溝７２Ａに嵌まり、爪７３Ｂが溝７２Ｂに嵌まり、爪７３Ｃが溝７２Ｃに嵌まることにより、第３部分７１Ｃは、第２部分７１Ｂと係合する。第３部分７１Ｃは、サイドフレーム４１Ａから取り外し可能である。
【００６７】
なお、図３に示すカバー４５Ｍは、フラットケーブル４２Ｍ（図８参照）の一端を覆う。すなわち、カバー４５Ｍは、フラットケーブル４２Ｍの一部を覆う。カバー４５Ｃは、フラットケーブル４２Ｃ（図８参照）の一端を覆う。すなわち、カバー４５Ｃは、フラットケーブル４２Ｃの一部を覆う。カバー４５Ｋは、フラットケーブル４２Ｋ（図８参照）の一端を覆う。すなわち、カバー４５Ｋは、フラットケーブル４２Ｋの一部を覆う。カバー４５Ｍ、４５Ｃ、４５Ｋのそれぞれは、カバー４５Ｙと同じ構造を有し、カバー４５Ｙと同様に説明される。そのため、カバー４５Ｍ、４５Ｃ、４５Ｋのそれぞれの説明は、省略される。すなわち、カバー４５Ｍ、４５Ｃ、４５Ｋのそれぞれは、幅方向において、サイドフレーム４１Ａからサイドフレーム４１Ｂに向かって延びる。カバー４５Ｍ、４５Ｃ、４５Ｋのそれぞれの少なくとも一部は、サイドフレーム４１Ａから取り外し可能である。
【００６８】
３．作用効果
画像形成装置１によれば、図８に示すように、ドロワフレーム４０は、幅方向において、フラットケーブル４２Ｙを支持する面５０Ｙと、フラットケーブル４２Ｃを支持する面と５０Ｃとの間に、フラットケーブル４２Ｍを支持する面５０Ｍを有する。つまり、面５０Ｙと面５０Ｍとによって、幅方向において、段差Ｄ１（図６参照）が形成され、面５０Ｃと面５０Ｍとによって、幅方向において、段差Ｄ２（図６参照）が形成されている。
【００６９】
これにより、面５０Ｙと面５０Ｍとの間の段差Ｄ１を利用してフラットケーブル４２Ｍを配置し、面５０Ｃと面５０Ｍとの間の段差Ｄ２を利用してフラットケーブル４２Ｃを配置することができる。
【００７０】
その結果、幅方向において、フラットケーブル４２Ｙ、４２Ｍ、４２Ｃを、効率よく配置できる。
【００７１】
４．変形例
上記したドロワユニット４は、幅方向においてフラットケーブル４２Ｙとフラットケーブル４２Ｍとの間に位置する金属製のシートを備えてもよい。金属製のシートは、幅方向において、フラットケーブル４２Ｙとフラットケーブル４２Ｍとを仕切る。これにより、フラットケーブル４２Ｙの電気信号、および、フラットケーブル４２Ｍの電気信号にノイズが混じることを抑制できる。なお、ドロワフレーム４０は、幅方向において、フラットケーブル４２Ｍとフラットケーブル４２Ｃとの間に位置する金属製のシートを備えてもよく、フラットケーブル４２Ｃとフラットケーブル４２Ｋとの間に位置する金属製のシートを備えてもよい。
【００７２】
また、図１０および図１１に示すように、ドロワユニット４は、サイドフレーム４１Ａに取り付けられる金属製のプレート８１と、カバー４３とプレート８１とを電気的に接続する導線８２とを、さらに備えてもよい。この場合、プレート８１は、幅方向においてサイドフレーム４１Ａとサイドフレーム４１Ｂとの間に位置する。サイドフレーム４１Ｂは、導線８２が通る貫通穴８３を有する。これにより、導線８２を介して、カバー４３に蓄積した電荷をプレート８１に逃がすことができ、カバー４３に静電気が蓄積されることを抑制できる。
【００７３】
また、図１２に示すように、フラットケーブル４２Ｙとフラットケーブル４２Ｍとの間、フラットケーブル４２Ｍとフラットケーブル４２Ｃとの間、および、フラットケーブル４２Ｃとフラットケーブル４２Ｋとの間に金属製のシート８４が設けられる場合、金属製のシート８４とプレート８１とを、導線８２によって電気的に接続してもよい。これにより、導線８２を介して、金属製のシート８４に蓄積した電荷をプレート８１に逃がすことができ、金属製のシート８４に静電気が蓄積されることを抑制できる。
【００７４】
なお、金属製のシート８４のうち、導線８２と接触する第１端部８４Ａと反対側の第２端部８４Ｂは、フラットケーブル４２Ｙ、４２Ｍ、４２Ｃの上端部と同じ高さ、または、フラットケーブル４２Ｙ、４２Ｍ、４２Ｃの上端部よりも高い位置にあってもよい。この場合、静電気等の外部ノイズは、フラットケーブル４２Ｙ、４２Ｍ、４２Ｃよりも、金属製のシート８４に伝わりやすいので、フラットケーブル４２Ｙ、４２Ｍ、４２Ｃの電気信号にノイズが混じりにくくなる。
【００７５】
また、露光ヘッド１３Ｋは、ドラムカートリッジ５Ｋがドロワユニット４に装着された状態で、感光ドラム１４Ｋに対して下方に位置してもよい。露光ヘッド１３Ｃは、ドラムカートリッジ５Ｃがドロワユニット４に装着された状態で、感光ドラム１４Ｃに対して下方に位置してもよい。この場合、スリット５１Ｙは、現像カートリッジ６Ｙがドロワユニット４に装着された状態で、現像カップリング６２Ｙよりも下方に位置する。スリット５１Ｃは、現像カートリッジ６Ｃがドロワユニット４に装着された状態で、現像カップリング６２Ｃよりも下方に位置する。
【００７６】
また、現像ローラ１６Ｙは、ドラムカートリッジ５Ｙおよび現像カートリッジ６Ｙがドロワユニット４に装着された状態で、感光ドラム１４Ｙの周面と間隔を空けてもよい。この場合、いわゆるジャンピング現像方式により、現像ローラ１６Ｙから感光ドラム１４Ｙへトナーを静電気的に供給する。
【符号の説明】
【００７７】
１      画像形成装置
２      本体筐体
４      ドロワユニット
５Ｙ    ドラムカートリッジ
５Ｃ    ドラムカートリッジ
６Ｙ    現像カートリッジ
６Ｃ    現像カートリッジ
１３Ｙ  露光ヘッド
１３Ｍ  露光ヘッド
１３Ｃ  露光ヘッド
４０    ドロワフレーム
４１Ａ  サイドフレーム
４１Ｂ  サイドフレーム
４２Ｙ  フラットケーブル
４２Ｍ  フラットケーブル
４２Ｃ  フラットケーブル
４５Ｙ  カバー
４５Ｃ  カバー
４８Ｙ  ドラム穴
４８Ｃ  ドラム穴
４９Ｙ  現像穴
４９Ｃ  現像穴
５０Ｙ  面
５０Ｍ  面
５０Ｃ  面
５１Ｙ  スリット
５１Ｃ  スリット
６１Ｙ  ドラムカップリング
６１Ｃ  ドラムカップリング
６２Ｙ  現像カップリング
６２Ｃ  現像カップリング
８１    プレート
８２    導線
８３    貫通穴
【図１】
2019101175.tif 000003
【図２】
2019101175.tif 000004
【図３】
2019101175.tif 000005
【図４】
2019101175.tif 000006
【図５】
2019101175.tif 000007
【図６】
2019101175.tif 000008
【図７】
2019101175.tif 000009
【図８】
2019101175.tif 000010
【図９】
2019101175.tif 000011
【図１０】
2019101175.tif 000012
【図１１】
2019101175.tif 000013
【図１２】
2019101175.tif 000014